(57)【要約】【課題】比重が高く流動性の乏しい貯留物や異物が混入した貯留物のホッパ内の棚吊りの発生を確実に防止すると共に、貯留物の偏りをなくし容積効率の低下を防ぐ。【解決手段】底部に定量供給用のスクリューフィーダ５を備えたホッパ１において、ホッパ１内の上段に攪拌式アーチブレーカ８、下段に移送方向をスクリューフィーダ５の移送方向と逆方向とするスクリュー式アーチブレーカ１１を配置する。上段の攪拌式アーチブレーカ５で貯留物を攪拌する。下段のスクリュー式アーチブレーカ１１は移送機能と攪拌機能とを併有し、移送機能で針金Ｗの攪拌棒１０への絡みつきと貯留物の偏りとを防止する。【選択図】  図１
2004353953.tif 000002
【特許請求の範囲】
【請求項１】
底部に定量供給用のスクリューフィーダを備えたホッパにおいて、ホッパ内の上段に攪拌式アーチブレーカ、下段に移送方向をスクリューフィーダの移送方向と逆方向とするスクリュー式アーチブレーカを配置したことを特徴とするホッパの棚吊り防止機構。
【発明の詳細な説明】
【０００１】
【発明の属する技術分野】
本発明は、底部に定量供給用のスクリューフィーダを備えたホッパの棚吊り防止機構に関するものである。
【０００２】
【従来の技術】
都市ごみや産業廃棄物等は焼却設備で焼却処分されることが多い。焼却残渣は、溶融処理設備の溶融炉で溶融しスラグ化して、路盤材、骨材、ブロック等としてリサイクルされる。
焼却残渣を溶融しスラグ化する溶融処理設備には、焼却残渣を溶融炉に投入する前に焼却残渣に含まれる水分を調整するための乾燥装置が備えられている。乾燥装置の前段には、焼却残渣を一旦貯留するホッパが設けられており、ホッパの底部には乾燥装置へ焼却残渣を定量供給するためのスクリューフィーダが設けられている。
【０００３】
焼却設備から供給される焼却残渣は、焼却設備の運転状況等により変動はあるが水分を３５％程度含んでいる。この焼却残渣は比重が高く流動性が乏しいという性状を有しているため、ホッパ内のスクリューフィーダ上部で棚吊りを生じやすい。棚吊りが発生するとスクリューフィーダに焼却残渣が供給されず、乾燥装置への供給量が不安定となる。
【０００４】
そこで、焼却残渣のような棚吊りを生じやすい貯留物を貯留するホッパでは、ホッパ内に突き棒を設けたり（特許文献１参照）、図２に示すように、ホッパ２０の定量供給用のスクリューフィーダ２１の上方に攪拌式アーチブレーカ２２を設け、回転軸２３に取り付けた攪拌棒２４を回転させて攪拌することにより棚吊りを防止するのが一般的である。
【０００５】
攪拌式アーチブレーカ２２は、攪拌効果を考えると定量供給用のスクリューフィーダ２１のすぐ上に設けるのが好ましいが、ホッパ２０の貯留物が焼却残渣Ａのように比重が高く流動性に乏しい場合には、攪拌式アーチブレーカ２２をスクリューフィーダ２１のすぐ上に設けると、過負荷状態となり回転できなくなることがある。
【０００６】
攪拌式アーチブレーカ２２のモータ（図示略）に能力の大きいものを用い、回転軸２３や攪拌棒２４等の構成部品のサイズや部材強度を上げて攪拌能力を増強し、過負荷に対応することも可能ではあるが、攪拌式アーチブレーカ２２のモータ、構成部品の大型化に加え、攪拌式アーチブレーカ２２を支持するホッパ２０の側壁の補強も必要になるので、コストが大幅に増加する。
【０００７】
また、攪拌式アーチブレーカ２２のサイズを大きくすると攪拌式アーチブレーカ２２の容積増加によりホッパ２０の容積効率が低下するので好ましくない。
従って、攪拌式アーチブレーカ２２はホッパ２０のある程度上方に設置せざるを得ず、スクリューフィーダ２１と攪拌式アーチブレーカ２２との間隔Ｄが大きくなり攪拌効果が低くなっていた。
【０００８】
このホッパ２０に含水率の変動などにより通常よりも比重が高く流動性の乏しい焼却残渣Ａが供給されると、攪拌式アーチブレーカ２２とスクリューフィーダ２１との間で棚吊りが発生する。
そこで、図３に示すように、ホッパ２０内に攪拌式アーチブレーカ２２を上下二段に配置することも試みられている。
【０００９】
【特許文献１】
特開平１０−２８８３２７号公報
【００１０】
【発明が解決しようとする課題】
しかしながら、焼却残渣Ａには針金Ｗやクリンカ等の異物が混入していることが多いため、攪拌式アーチブレーカ２２の攪拌棒２４に異物が絡みつくことがある。攪拌棒２４に異物が一度絡みつくと、攪拌式アーチブレーカ２２には横方向への移送機能がないため、異物が攪拌棒２４から離脱しにくく、やがて、上下の攪拌棒２４に絡みついて攪拌式アーチブレーカ２２の故障を引き起こす場合もあった。
【００１１】
また、焼却残渣Ａは流動性が乏しいので、スクリューフィーダ２１の推力に影響されてホッパ２０内の焼却残渣Ａ全体がスクリューフィーダ２１の送出側（図上、左側）に偏る傾向がある。焼却残渣Ａが送出側に偏ると、スクリューフィーダ２１の基端部付近では棚吊り状態とあいまって空洞が生じ易くなるため、容積効率が悪くなる。
【００１２】
本発明は、底部に定量供給用のスクリューフィーダを備えたホッパにおける上記問題を解決するものであって、比重が高く流動性の乏しい貯留物や異物が混入した貯留物のホッパ内の棚吊りの発生を確実に防止でき、貯留物の偏りをなくし容積効率の低下を防ぐことのできるホッパの棚吊り防止機構を提供することを目的とする。
【００１３】
【課題を解決するための手段】
本発明のホッパの棚吊り防止機構では、上記課題を解決するため、底部に定量供給用のスクリューフィーダを備えたホッパにおいて、ホッパ内の上段に攪拌式アーチブレーカ、下段に移送方向をスクリューフィーダの移送方向と逆方向とするスクリュー式アーチブレーカを配置している。
このホッパの棚吊り防止機構では、上段の攪拌式アーチブレーカで貯留物を攪拌し、下段のスクリュー式アーチブレーカの移送機能で異物が攪拌棒に絡みついたままになるのを防止する。
【００１４】
スクリュー式アーチブレーカは移送機能と攪拌機能とを併有しており、攪拌能力も向上するので、比重が高く流動性に乏しい焼却残渣のような貯留物を貯留しても棚吊りを確実に防止することが可能である。
スクリュー式アーチブレーカの移送方向は、定量供給用のスクリューフィーダの移送方向と逆方向となっているので、ホッパ内で貯留物が一方に偏ることがなく、容積効率の低下を防ぐことができる。
【００１５】
【発明の実施の形態】
図１は、本発明の実施の一形態である棚吊り防止機構を備えたホッパの構成を示す縦断面図である。
図１のホッパ１は、焼却残渣Ａを溶融しスラグ化する溶融処理設備の乾燥装置（図示略）の前段に設けられ、乾燥装置への投入前に焼却残渣Ａを一旦貯留するものである。
【００１６】
ホッパ１の基本的な構成は、従来のものと同様であり、上部に投入口２を備えた貯留室３の底部に、側方（図上、左側）へ突出する切出し口４が設けられており、この切出し口４が乾燥装置に接続されている。
貯留室３の底部には定量供給用のスクリューフィーダ５が設けられている。スクリューフィーダ５は回転軸６と羽根７とからなり、図示しないスクリューフィーダ駆動用モータによって焼却残渣Ａが切出し口４の方向へ移送されるように回転が与えられる。
【００１７】
ホッパ１の貯留室３内のスクリューフィーダ５の上方には、上段に従来と同様の攪拌式アーチブレーカ８、下段にスクリュー式アーチブレーカ１１が配置され、攪拌式アーチブレーカ８とスクリュー式アーチブレーカ１１とは、それぞれ基端部がスクリューフィーダ５の基端部と同じ側となるように側壁に片持ち支持されている。
【００１８】
攪拌式アーチブレーカ８は、回転軸９と回転軸９に螺旋軌跡に沿って所定間隔で配設された攪拌棒１０とからなる。攪拌棒１０は、回転軸９に穿設された取付孔９ａにねじ部１０ａを挿通し、２個のナット１０ｂで締付けることにより、回転軸９に取付けられている。回転軸９の全長は、ホッパ１の幅の略６０〜７０  ％となっている。
【００１９】
スクリュー式アーチブレーカ１１は、回転軸１２と羽根１３とからなる。回転軸１２の全長は、ホッパ１の幅の略８０％となっており、羽根１３の外径とピッチはスクリューフィーダ５の羽根７に対し、外径が略６０％、ピッチが略５０％となっている。
攪拌式アーチブレーカ８の回転軸９の基端部と、スクリュー式アーチブレーカ１１の回転軸１２の基端部とは、歯車（図示略）を介して接続されており、攪拌式アーチブレーカ８とスクリュー式アーチブレーカ１１は一台のアーチブレーカ駆動モータ（図示略）で同時に駆動され、等しい回転数で互いに逆方向へ回転する。
【００２０】
スクリュー式アーチブレーカ１１には、その移送方向がスクリューフィーダ５の移送方向と逆方向となる方向への回転が与えられる。
従って、攪拌式アーチブレーカ８とスクリュー式アーチブレーカ１１と、スクリューフィーダ５の回転方向は、切出し口４側から見て、上から順に、反時計回り、時計回り、反時計回りとなっている。
【００２１】
このホッパ１では、投入口２から焼却残渣Ａが貯留室３へ投入されると、貯留された焼却残渣Ａは、上段の攪拌式アーチブレーカ８の攪拌機能で攪拌される。攪拌式アーチブレーカ８は上段に設けられているので、過負荷状態で回転できなくなることはない。また、下段のスクリュー式アーチブレーカ１１の移送機能によって針金Ｗ等の異物が攪拌棒１０に絡みついたままになるのが防止される。
【００２２】
スクリュー式アーチブレーカ１１は移送機能と攪拌機能とを併有しており、攪拌能力も向上するので、比重が高く流動性に乏しい焼却残渣Ａを貯留しても、攪拌式アーチブレーカ８とスクリュー式アーチブレーカ１１とで棚吊りを確実に防止することが可能である。
従って、焼却残渣Ａはスクリューフィーダ５によって切出し口４から次工程の乾燥装置へ安定供給される。
スクリュー式アーチブレーカ１１の移送方向は、定量供給用のスクリューフィーダ５の移送方向と逆方向となっているので、ホッパ１の貯留室３内で貯留物が一方に偏ることはない。
【００２３】
【発明の効果】
本発明のホッパの棚吊り防止機構によれば、比重が高く流動性の乏しい貯留物や異物が混入した貯留物のホッパ内の棚吊りの発生を確実に防止でき、貯留物の偏りをなくし容積効率の低下を防ぐことができる。
【図面の簡単な説明】
【図１】図１は、本発明の実施の一形態である棚吊り防止機構を備えたホッパの構成を示す縦断面図である。
【図２】従来の攪拌式アーチブレーカを一基設けた棚吊り防止機構を備えたホッパの構成を示す縦断面図である。
【図３】従来の攪拌式アーチブレーカを二基設けた棚吊り防止機構を備えたホッパの構成を示す縦断面図である。
【符号の説明】
１      ホッパ
２      投入口
３      貯留室
４      切出し口
５      スクリューフィーダ
６      回転軸
７      羽根
８      攪拌式アーチブレーカ
９      回転軸
１０    攪拌棒
１１    スクリュー式アーチブレーカ
１２    回転軸
１３    羽根
Ａ      焼却残渣
Ｗ      針金
【図１】
2004353953.tif 000003
【図２】
2004353953.tif 000004
【図３】
2004353953.tif 000005